(57)【特許請求の範囲】
【請求項１】
投入された旧貨幣および新貨幣の正偽および種別をそれぞれ判定し、該旧貨幣および新貨幣の受け入れ若しくは返却を行う貨幣処理方法において、
投入された旧貨幣および新貨幣を監視し、該投入された旧貨幣および新貨幣の投入状況が予め設定した所定の条件に合致した時点で旧貨幣の受け入れを禁止することを特徴とする貨幣処理方法。
【請求項２】
前記所定の条件は、投入された新貨幣の投入枚数が予め設定した枚数以上に達したことであり、
該所定の条件に合致した以降は、前記旧貨幣を受け入れることなく返却することを特徴とする請求項１記載の貨幣処理方法。
【請求項３】
前記所定の条件は、予め設定した期間内に投入された新貨幣の投入枚数が予め設定した枚数以上に達したことであり、
該所定の条件に合致した以降は、前記旧貨幣を受け入れることなく返却することを特徴とする請求項１記載の貨幣処理方法。
【請求項４】
前記所定の条件は、予め設定した期間内に投入された新貨幣の枚数と旧貨幣の枚数との比が予め設定した値に達したことであり、
該所定の条件に合致した以降は、前記旧貨幣を受け入れることなく返却することを特徴とする請求項１記載の貨幣処理方法。
【請求項５】
前記所定の条件は、前記新貨幣の連続投入枚数が予め設定した値を超えたことであり、
該所定の条件に合致した以降は、前記旧貨幣を受け入れることなく返却することを特徴とする請求項１記載の貨幣処理方法。
【請求項６】
受け入れた旧貨幣を回収し、該旧貨幣の払い出しを禁止することを特徴とする請求項１記載の貨幣処理方法。
【請求項７】
投入された旧貨幣および新貨幣の正偽および種別を判定し、該旧貨幣および新貨幣の受け入れ若しくは返却を行う貨幣処理装置において、
投入された旧貨幣および新貨幣の正偽および種別をそれぞれ判定する貨幣種別判定手段と、
前記貨幣種別判定手段により、正貨と判別された少なくとも前記新貨幣を含む貨幣を金種別に蓄積する貨幣蓄積手段と、
前記貨幣種別判定手段により判定された旧貨幣および新貨幣の投入状況が予め設定した所定の条件に達したか否かを判定する条件判定手段と、
前記条件判定手段により前記旧貨幣および新貨幣の投入状況が前記所定の条件に合致したと判定された以降は、前記旧貨幣の受け入れを禁止する禁止手段と
を具備することを特徴とする貨幣処理装置。
【請求項８】
前記禁止手段は、
投入された前記新貨幣の投入枚数を計数する計数手段と、
前記計数手段が計数した投入枚数を予め設定した基準枚数と比較する比較手段と
を具備し、
前記比較手段により、投入された新貨幣の投入枚数が予め設定した基準枚数に達したと判定されたことを条件に前記旧貨幣を受け入れることなく返却することを特徴とする請求項７記載の貨幣処理装置。
【請求項９】
前記禁止手段は、
所定の期間を計時する計時手段と、
投入された前記新貨幣の投入枚数を計数する計数手段と、
前記計数手段が計数した投入枚数を予め設定した基準枚数と比較する比較手段と
を具備し、
前記計時手段により計時した所定の期間以内に、前記比較手段により投入された新貨幣の投入枚数が予め設定した基準枚数に達したと判定されたことを条件に前記旧貨幣を受け入れることなく返却することを特徴とする請求項７記載の貨幣処理装置。
【請求項１０】
前記禁止手段は、
所定の期間を計時する計時手段と、
投入された前記新貨幣および前記旧貨幣の投入枚数を計数する計数手段と、
前記計数手段が計数した前記新貨幣の枚数と前記旧貨幣の枚数の比を算出する投入枚数比算出手段と、
前記投入枚数比算出手段が算出した前記新貨幣の枚数と前記旧貨幣の枚数の比を予め設定した基準値と比較する比較手段と
を具備し、
前記計時手段により計時した所定の期間以内に、前記比較手段により、前記新貨幣の枚数と前記旧貨幣の枚数の比が予め設定した基準値に達したと判定されたことを条件に前記旧貨幣を受け入れることなく返却することを特徴とする請求項７記載の貨幣処理装置。
【請求項１１】
前記禁止手段は、
連続して投入された前記新貨幣の連続投入枚数を計数する計数手段と、
前記計数手段が計数した連続投入枚数を予め設定した基準枚数と比較する比較手段と
を具備し、
前記比較手段により、連続して投入された新貨幣の連続投入枚数が予め設定した基準枚数に達したと判定されたことを条件に前記旧貨幣を受け入れることなく返却することを特徴とする請求項７記載の貨幣処理装置。
【請求項１２】
受け入れた貨幣を前記蓄積手段に蓄積せずに回収する貨幣回収手段をさらに具備し、
前記貨幣回収手段は、前記貨幣種別判定手段により判定された旧貨幣を回収し該旧貨幣の払い出しを禁止する
ことを特徴とする請求項７記載の貨幣処理装置。
【発明の詳細な説明】
【０００１】
【発明の属する技術分野】
この発明は、貨幣処理方法および装置に関し、特に、新旧貨幣の取り扱いの切替を容易に行うことのできる貨幣処理方法および装置に関する。
【０００２】
【従来の技術】
自動販売機等で利用される硬貨処理装置や紙幣処理装置では、投入された硬貨の正偽と金種を判別し、正貨であるならば受入れて、商品の販売を許可し、釣り銭の払出が必要な場合には、該当する硬貨の払出を行う。
【０００３】
ところで、硬貨や紙幣は、様々な理由によって新しいデザインのもの、いわゆる新硬貨、新紙幣に置き換えられることがある。
【０００４】
新貨幣（新硬貨、新紙幣）への置き換えの際には、従来の貨幣（旧硬貨、旧紙幣）が、直ちに使用不可能になるわけではなく、流通しなくなるわけでもない。つまり、新旧貨幣が共存する期間が存在することになる。この間、硬貨処理装置や紙幣処理装置は、新旧貨幣の両者を取り扱うことが必要となる。これは、両者が共存する期間に新旧いずれかの貨幣のみを取り扱うと、利用者が不便であるとともに自動販売機側で販売の機会を逸してしまうことになるからである。
【０００５】
その一方で、新旧貨幣の両者を扱うことは、管理上複雑となることがある。例えば、新旧貨幣を同列に受け入れる場合は、新旧貨幣の両者が釣り銭として支払われることになり貨幣の切替後一定以上の期間が経過した場合には好ましいことではなく、新旧貨幣を別に受け入れる場合は、貨幣種別が増加していることと同等になりその取り扱いが煩雑となる。
【０００６】
したがって、新旧貨幣の切替時には、両貨幣を使用できる期間を適当に設け、当該期間が経過した場合には、新貨幣のみを取り扱い対象とすることが望ましいと言うことになる。
【０００７】
【発明が解決しようとする課題】
上述したように、貨幣処理装置においては、新旧貨幣の切替時には、まず、新旧貨幣の両者を取り扱い、その後、新貨幣のみを取り扱い対象とすることが望ましい。しかしながら、従来の貨幣処理装置では、新旧貨幣の両者を取り扱い対象としている状態から新貨幣のみを取り扱い対象とする状態に切り替えるには、プログラムの書き換えを行う等の作業が必要であり、その作業は手間のかかるものであった。
【０００８】
また、新貨幣の流通には、地域差等があり、新旧貨幣の両者を取り扱い対象としている状態から新貨幣のみを取り扱い対象とする状態への切り替えを一斉に行うことは困難であった。
【０００９】
そこで、この発明は、新旧貨幣の流通量に応じ、旧貨幣の受け入れを自動で停止することのできる貨幣処理方法および装置を提供することを目的とする。
【００１０】
【課題を解決するための手段】
上述した目的を達成するため、請求項１の発明は、投入された旧貨幣および新貨幣の正偽および種別をそれぞれ判定し、該旧貨幣および新貨幣の受け入れ若しくは返却を行う貨幣処理方法において、投入された旧貨幣および新貨幣を監視し、該投入された旧貨幣および新貨幣の投入状況が予め設定した所定の条件に合致した時点で旧貨幣の受け入れを禁止することを特徴とする。
【００１１】
また、請求項２の発明は、請求項１の発明において、前記所定の条件は、投入された新貨幣の投入枚数が予め設定した枚数以上に達したことであり、該所定の条件に合致した以降は、前記旧貨幣を受け入れることなく返却することを特徴とする。
【００１２】
また、請求項３の発明は、請求項１の発明において、前記所定の条件は、予め設定した期間内に投入された新貨幣の投入枚数が予め設定した枚数以上に達したことであり、該所定の条件に合致した以降は、前記旧貨幣を受け入れることなく返却することを特徴とする。
【００１３】
また、請求項４の発明は、請求項１の発明において、前記所定の条件は、予め設定した期間内に投入された新貨幣の枚数と旧貨幣の枚数との比が予め設定した値に達したことであり、該所定の条件に合致した以降は、前記旧貨幣を受け入れることなく返却することを特徴とする。
【００１４】
また、請求項５の発明は、請求項１の発明において、前記所定の条件は、前記新貨幣の連続投入枚数が予め設定した値を超えたことであり、該所定の条件に合致した以降は、前記旧貨幣を受け入れることなく返却することを特徴とする。
【００１５】
また、請求項６の発明は、請求項１の発明において、受け入れた旧貨幣を回収し、該旧貨幣の払い出しを禁止することを特徴とする。
【００１６】
また、請求項７の発明は、投入された旧貨幣および新貨幣の正偽および種別を判定し、該旧貨幣および新貨幣の受け入れ若しくは返却を行う貨幣処理装置において、投入された旧貨幣および新貨幣の正偽および種別をそれぞれ判定する貨幣種別判定手段と、前記貨幣種別判定手段により、正貨と判別された少なくとも前記新貨幣を含む貨幣を金種別に蓄積する貨幣蓄積手段と、前記貨幣種別判定手段により判定された旧貨幣および新貨幣の投入状況が予め設定した所定の条件に達したか否かを判定する条件判定手段と、前記条件判定手段により前記旧貨幣および新貨幣の投入状況が前記所定の条件に合致したと判定された以降は、前記旧貨幣の受け入れを禁止する禁止手段とを具備することを特徴とする。
【００１７】
なお、禁止手段は、例えば、前記貨幣種別に前記旧貨幣を偽貨と見なして返却するように指示するものとして実現する。
【００１８】
また、請求項８の発明は、請求項７の発明において、前記禁止手段は、投入された前記新貨幣の投入枚数を計数する計数手段と、前記計数手段が計数した投入枚数を予め設定した基準枚数と比較する比較手段とを具備し、前記比較手段により、投入された新貨幣の投入枚数が予め設定した基準枚数に達したと判定されたことを条件に前記旧貨幣を受け入れることなく返却することを特徴とする。
【００１９】
また、請求項９の発明は、請求項７の発明において、前記禁止手段は、所定の期間を計時する計時手段と、投入された前記新貨幣の投入枚数を計数する計数手段と、前記計数手段が計数した投入枚数を予め設定した基準枚数と比較する比較手段とを具備し、前記計時手段により計時した所定の期間以内に、前記比較手段により投入された新貨幣の投入枚数が予め設定した基準枚数に達したと判定されたことを条件に前記旧貨幣を受け入れることなく返却することを特徴とする。
【００２０】
また、請求項１０の発明は、請求項７の発明において、前記禁止手段は、所定の期間を計時する計時手段と、投入された前記新貨幣および前記旧貨幣の投入枚数を計数する計数手段と、前記計数手段が計数した前記新貨幣の枚数と前記旧貨幣の枚数の比を算出する投入枚数比算出手段と、前記投入枚数比算出手段が算出した前記新貨幣の枚数と前記旧貨幣の枚数の比を予め設定した基準値と比較する比較手段とを具備し、前記計時手段により計時した所定の期間以内に、前記比較手段により、前記新貨幣の枚数と前記旧貨幣の枚数の比が予め設定した基準値に達したと判定されたことを条件に前記旧貨幣を受け入れることなく返却することを特徴とする。
【００２１】
また、請求項１１の発明は、請求項７の発明において、前記禁止手段は、連続して投入された前記新貨幣の連続投入枚数を計数する計数手段と、前記計数手段が計数した連続投入枚数を予め設定した基準枚数と比較する比較手段とを具備し、前記比較手段により、連続して投入された新貨幣の連続投入枚数が予め設定した基準枚数に達したと判定されたことを条件に前記旧貨幣を受け入れることなく返却することを特徴とする。
【００２２】
また、請求項１２の発明は、請求項７の発明において、受け入れた貨幣を前記蓄積手段に蓄積せずに回収する貨幣回収手段をさらに具備し、前記貨幣回収手段は、前記貨幣種別判定手段により判定された旧貨幣を回収し該旧貨幣の払い出しを禁止することを特徴とする請求項７記載の貨幣処理装置。
【００２３】
【発明の実施の形態】
以下、この発明に係る貨幣処理方法および装置の一実施の形態について、添付図面を参照して詳細に説明する。
【００２４】
図１は、この発明に係る貨幣処理装置の一つである硬貨処理装置の構成を示すブロック図であり、図２は、硬貨処理装置における硬貨の流れを示す模式図である。
【００２５】
硬貨処理装置は、硬貨投入部１と硬貨通路２、センサ部３、硬貨振分部４、硬貨受入部５（５ａ、５ｂ、５ｃ、５ｄ）、金庫６、硬貨払出部７、硬貨返却部８、制御部１０を具備して構成される。
【００２６】
硬貨投入部１から投入された硬貨は、硬貨通路２を転動し、センサ部３においてその特徴が検出される。この硬貨の特徴に基づいて制御部１０が当該硬貨の正偽、金種を判別し、硬貨振分部４を制御する。硬貨振分部４は、制御部１０の制御に基づいて硬貨を振り分けるが、その振り分け先は、硬貨受入部５や金庫６、硬貨返却部８となる。硬貨返却部８へ振り分けられる硬貨は、制御部１０で偽貨と判定された硬貨である。また、硬貨払出部７は、制御部１０からの制御に基づいて、硬貨受入部５に格納されている硬貨を硬貨返却部８へ払い出す。
【００２７】
ここで、制御部１０について説明する。
制御部１０は、特徴検出部１１と硬貨種別判定部１２、判定値格納部１３、切替条件判定部１４、条件値格納部１５、振分制御部１６、払出制御部１７を具備して構成される。
【００２８】
特徴検出部１１は、センサ部３の出力に基づいて投入された硬貨の特徴を検出し、硬貨種別判定部１２は、特徴検出部１１が検出した特徴と判定値格納部１３に格納されている判定値に基づいて、硬貨の正偽および種別を判定する。切替条件判定部１４は、硬貨種別判定部１２の判定結果と条件値格納部１５に格納されている条件値に基づいて、旧硬貨の受入停止等の判定を行う。なお、切替条件判定部１４の詳細については後述する。
【００２９】
振分制御部１６は、硬貨種別判定部１２の判定結果に基づいて、投入された硬貨を硬貨受入部５または硬貨返却部８に振り分けるが、硬貨受入部５から硬貨が満杯である旨の信号を受けた場合には、硬貨受入部５に代えて金庫６に投入され硬貨を振り分ける。払出制御部６は、図示しない自動販売機等の制御部からの指示に基づいて、硬貨払出部７を制御し、硬貨の返却や釣り銭の払い出しを行わせる。
【００３０】
なお、制御部１０の各部は、実際には、ＣＰＵやメモリ等により構成され、プログラムにより動作するものである。
【００３１】
ここで、切替条件判定部１４について説明する。
切替条件判定部１４は、旧硬貨から新硬貨への切替が生じた際に、硬貨処理装置の硬貨の受入対象を切り替える制御を行う部分で、硬貨種別判定部１２による新旧硬貨の受入状況と、条件値格納部１５に格納されている切替条件とに基づいて、旧硬貨の受入停止等を決定し、その旨を硬貨種別判定部１２に指示する。旧硬貨が受入停止となった場合には、硬貨種別判定部１２は、旧貨幣を偽貨とみなして振分制御部１６に通知する。
【００３２】
次に、新旧硬貨の切替時における硬貨処理装置の動作を説明する。
図３は、新旧硬貨の切替時における硬貨処理装置の動作の流れを示すフローチャートである。
【００３３】
まず、新硬貨の流通が開始された時点では、硬貨処理装置は、新硬貨と旧硬貨の両者を受け入れる（ステップ１０１）。硬貨処理装置は、この状態で稼働し、切替条件判定部１４が後述する切替条件の判定を行う（ステップ１０２）。判定の結果、切替条件に合致しない場合には（ステップ１０３でＮＯ）、硬貨処理装置はそのまま稼働を続け、切替条件に合致した場合には（ステップ１０３でＹＥＳ）、硬貨処理装置は、新硬貨を受け入れ、旧硬貨を返却するように動作し（ステップ１０４）、切替処理を終了する。
【００３４】
ここで、切替条件判定部１４での切替条件判定の具体例について説明する。切替条件判定部１４が判定する切替条件は、様々なものが考えられるが、ここでは、３つの例を示して説明する。１つ目の例は、ある期間内での新硬貨の受入枚数に基づいて切替時期を判定する場合、２つ目の例は、ある期間内での新旧硬貨の受入比率に基づいて切替時期を判定する場合、３つ目の例は、新硬貨の連続投入枚数に基づいて切替時期を判定する場合である。
【００３５】
図４乃至６は、それぞれ切替条件判定部１４の判定動作の流れを示すフローチャートである。
【００３６】
まず、１つ目の例としては、図４に示すように、切替条件判定部１４が動作を開始すると、まず、所定の期間を計時する計時時間の初期化と（ステップ２０１）、新硬貨の受入枚数をカウントするカウント値の初期化を行い（ステップ２０２）、その後、計時を開始する。
【００３７】
続いて、計時時間が予め設定した期間（条件値格納部１５に格納されている値で、例えば、１日）を経過していない間に（ステップ２０３でＹＥＳ）、硬貨が投入され（ステップ２０４でＹＥＳ）、当該硬貨が対象硬貨である新硬貨であった場合には（ステップ２０５でＹＥＳ）、当該新硬貨のカウント値をカウントアップする（ステップ２０６）。カウントアップしたカウント値が予め設定した基準値（条件値格納部１５に格納されている値）を越えていなければ、ステップ２０３に戻り、次の硬貨の投入を待つ。硬貨の投入を待つ間に、計時時間が所定の期間を経過した場合には、ステップ２０１に戻り、計時時間とカウント値を初期化する。
【００３８】
一方、新硬貨の投入によりカウントアップしたカウント値が基準値を越えた場合には（ステップ２０７でＹＥＳ）、切替条件判定部１４は、切替条件に合致したと判定し（ステップ２０８）、硬貨種別判定部１２にその旨を通知し、旧硬貨の受入停止等を実行させ、処理を終了する。
【００３９】
このように、１つ目の例では、一定期間内に予め設定した枚数以上の新硬貨が投入された場合には、旧硬貨の受入を停止するのに十分な時期であると判定する。なお、ステップ２０７において、カウント値が基準値を超えた場合であっても、自動販売機が販売動作中、つまり、同種の硬貨が連続投入される可能性がある場合には、販売動作の終了後にステップ２０７の設定切替を行う。また、新硬貨をカウントアップする毎に基準値との比較を行わずに、計時時間が所定の期間を越えた場合にのみ、カウント値と基準値を比較するようにしてもよい。
【００４０】
なお、この例の変形例として、計時を行わずに予め設定した枚数以上の新硬貨が投入された場合を切替条件としてもよい。
【００４１】
次に、２つ目の例を説明する。２つ目の例としては、図５に示すように、切替条件判定部１４が動作を開始すると、まず、所定の期間を計時する計時時間の初期化と（ステップ２１１）、新硬貨および旧硬貨の受入枚数をカウントするカウント値の初期化を行い（ステップ２１２）、その後、計時を開始する。
【００４２】
続いて、硬貨が投入され（ステップ２１３でＹＥＳ）、投入された硬貨が新旧混在する対象種別であった場合（ステップ２１４でＹＥＳ）、当該硬貨が新硬貨であれば（ステップ２１５でＹＥＳ）、新硬貨のカウント値をカウントアップし（ステップ２１６）、当該硬貨が旧硬貨であれば（ステップ２１５でＮＯ）、旧硬貨のカウント値をカウントアップする（ステップ２１７）。
【００４３】
この対象種別硬貨の投入時のカウントアップを計時時間が予め設定した期間（条件値格納部１５に格納されている値で、例えば、１日）である間繰り返し（ステップ２１８でＹＥＳ）、予め設定した期間を経過すると（ステップ２１８でＮＯ）、カウントアップした新硬貨の枚数と旧硬貨の枚数の比を算出する（ステップ２１９）。
【００４４】
次に、算出した新硬貨と旧硬貨の比を予め設定した基準値（条件値格納部１５に格納されている値）と比較し（ステップ２２０）、新旧比が基準値を超えていない場合には（ステップ２２０でＮＯ）、ステップ２１１に戻り、計時時間とカウント値の初期化を行い、新旧比が基準値を超えていた場合には（ステップ２２０でＹＥＳ）、切替条件判定部１４は、切替条件に合致したと判定し（ステップ２２１）、硬貨種別判定部１２にその旨を通知し、旧硬貨の受入停止等を実行させ、処理を終了する。
【００４５】
このように、２つ目の例では、一定期間内に投入された新硬貨の枚数が、同じく投入された旧硬貨の枚数に比べ一定数以上である場合には、旧硬貨の受入を停止するのに十分な時期であると判定する。
【００４６】
次に、３つ目の例を説明する。３つ目の例としては、図６に示すように、切替条件判定部１４が動作を開始すると、まず、新硬貨の受入枚数をカウントするカウント値の初期化を行う（ステップ２３１）。
【００４７】
次に、硬貨が投入されるのを待ち（ステップ２３２でＮＯ）、硬貨が投入され（ステップ２３２でＹＥＳ）、当該硬貨がカウント対象硬貨である新硬貨であれば（ステップ２３３でＹＥＳ）、カウント値のカウントアップを行い（ステップ２３４）、カウント値と予め設定した基準値（条件値格納部１５に格納されている値）を比較する（ステップ２３５）。
【００４８】
比較の結果、カウント値が基準値を超えていない場合には（ステップ２３５でＮＯ）、ステップ２３２に戻り次の硬貨投入を待つ。また、投入された硬貨が、対象硬貨、つまり、新硬貨でない場合には（ステップ２３３でＮＯ）、ステップ２３１に戻り、カウント値を初期化する。
【００４９】
一方、新硬貨のカウントアップの結果、カウント値が基準値を超えていた場合には（ステップ２３５でＹＥＳ）、切替条件判定部１４は、切替条件に合致したと判定し（ステップ２３６）、硬貨種別判定部１２にその旨を通知し、旧硬貨の受入停止等を実行させ、処理を終了する。
【００５０】
このように、３つ目の例では、対象となる新硬貨が一定枚数以上、連続して投入された場合に旧硬貨の受入を停止するのに十分な時期であると判定する。
【００５１】
ところで、ここで説明した硬貨処理装置では、図３に示したように切替条件に合致する前は、新硬貨と旧硬貨を同様に処理していた。しかしながら、旧硬貨は、本来、流通を続けるべきでなく、早期に回収すべき硬貨でもある。そこで、硬貨処理装置では、旧硬貨を硬貨受入部５ではなく、金庫６に振り分けて積極的に回収するようにすることもできる。
【００５２】
例えば、図７に示すように、新硬貨の流通が開始された時点では、硬貨処理装置は、新硬貨を受け入れ、旧硬貨を回収し（ステップ１１１）、切替条件判定部１４の判定により（ステップ１１２）、切替条件に合致しない場合には（ステップ１０３でＮＯ）、硬貨処理装置はそのまま稼働を続け、切替条件に合致した場合には（ステップ１０３でＹＥＳ）、硬貨処理装置は、新硬貨を受け入れ、旧硬貨を返却するように動作し（ステップ１０４）、切替処理を終了するようにしてもよい。
【００５３】
また、旧硬貨を直ちに回収するのではなく、図８に示すように段階的に回収、返却を行うようにしてもよい。
【００５４】
図８に示す動作では、硬貨処理装置は、まず、新硬貨、旧硬貨の両者を受け入れる（ステップ１２１）。硬貨処理装置は、この状態で稼働し、切替条件判定部１４が切替条件１の判定を行い（ステップ１２２）、切替条件１に合致した場合には（ステップ１２３でＹＥＳ）、新硬貨を受け入れ、旧硬貨を回収するように動作する（ステップ１２４）。
【００５５】
この後、硬貨処理装置は、稼働を続け、切替条件判定部１４が切替条件２の判定を行い（ステップ１２５）、切替条件１に合致した場合には（ステップ１２６でＹＥＳ）、新硬貨を受け入れ、旧硬貨を返却するように動作し（ステップ１２７）、切替処理を終了する。
【００５６】
切替条件判定部１４が判定する切替条件１と切替条件２は、図４乃至６を参照して説明した条件と同一であり、切替条件１と切替条件２で期間や基準値を異ならせてもよく、同一の期間や基準値を用いてもよい。
【００５７】
なお、上述の説明では、硬貨処理装置を例として説明したが、紙幣処理装置においても同様の切替処理が可能であり、この発明は、貨幣処理装置（硬貨処理装置と紙幣処理装置を含む）全般に対して適用することができるものである。
【００５８】
【発明の効果】
以上説明したように、この発明によれば、新旧貨幣を受け入れている状態で、新貨幣の投入状況が予め設定した条件に合致した場合に、旧貨幣の受入を停止するように構成したので、煩雑な作業を伴う設定変更を行うことなく、地域毎等で異なる新貨幣の流通状況に応じて旧貨幣の受入を停止することが可能となる。
【図面の簡単な説明】
【図１】この発明に係る貨幣処理装置の一つである硬貨処理装置の構成を示すブロック図である。
【図２】硬貨処理装置における硬貨の流れを示す模式図である。
【図３】新旧硬貨の切替時における硬貨処理装置の動作の流れを示すフローチャート（１）である。
【図４】切替条件判定部１４の判定動作の流れを示すフローチャート（１）である。
【図５】切替条件判定部１４の判定動作の流れを示すフローチャート（２）である。
【図６】切替条件判定部１４の判定動作の流れを示すフローチャート（３）である。
【図７】新旧硬貨の切替時における硬貨処理装置の動作の流れを示すフローチャート（２）である。
【図８】新旧硬貨の切替時における硬貨処理装置の動作の流れを示すフローチャート（３）である。
【符号の説明】
１    硬貨投入部
２    硬貨通路
３    センサ部
４    硬貨振分部
５、５ａ、５ｂ、５ｃ、５ｄ    硬貨受入部
６    金庫
７    硬貨払出部
８    硬貨返却部
１０    制御部
１１    特徴検出部
１２    硬貨種別判定部
１３    判定値格納部
１４    切替条件判定部
１５    条件値格納部
１６    振分制御部
１７    払出制御部
【図１】
0003877123.tif 000002
【図２】
0003877123.tif 000003
【図３】
0003877123.tif 000004
【図４】
0003877123.tif 000005
【図５】
0003877123.tif 000006
【図６】
0003877123.tif 000007
【図７】
0003877123.tif 000008
【図８】
0003877123.tif 000009